(57)【要約】      （修正有）【課題】どのような規格のスクリュードライバービットでも接続することができるスクリュードライバーを提供する。【解決手段】スクリュードライバービットの側面とともにボールを挟み込むように内壁の上方の端縁部に形成する当接部を具えてなり、接続部材の下方に形成された孔に対向する位置に凹部及び凸部を設けるスリーブとを含んでなり、接続部の円形の空間には、弾性部材と位置決めブロックが設けられ、位置決めブロックの接続部材の下方の軸方向に形成された孔に対向する位置に凹部が形成され、スリーブに凹部及び凸部が設けられ、スリーブの当接部が曲面を具えて形成されるため、スリーブが上方に移動すると、スリーブの凸部がボールを内側に押し出してボールが位置決めブロックの凹部に設けられ、スリーブの当接部の曲面が接続部材の孔に設けられたボールを押し圧するため、接続部材の接続空間内にスクリュードライバーが位置決めされる構造。【選択図】図５
0003122512.tif 000002
【実用新案登録請求の範囲】
【請求項１】
内部の上半分に形成されたスクリュードライバービットを挿入するために供する多角形の接続空間と、該接続空間の下方に形成された円形の空間と、該外周面の上方及び下方の軸方向にボールを設けるために形成された少なくとも１以上の孔とを含んでなる接続部材と、
該接続部材の外周を被覆するように設けられ、底部に設けられた弾性部材と接続部材が互いに当接して弾性力を具えてなり、スクリュードライバービットの側面とともにボールを押し圧して、挟み込むように内壁の上方の端縁部に形成する当接部を具えてなり、該接続部材の下方に形成された孔に対向する位置に凹部及び凸部を設けてなるスリーブとを含んでなり、
該接続部の円形の空間には、弾性部材と位置決めブロックが設けられ、該位置決めブロックの接続部材の下方の軸方向に形成された孔に対向する位置に三角形の凹部が形成され、該スリーブに凹部及び凸部が設けられ、スリーブの当接部が曲面を具えて形成されるため、スリーブが上方に移動すると、スリーブの凸部がボールを内側に押し出してボールが位置決めブロックの凹部に設けられるとともに、スリーブの当接部の曲面を利用して接続部材の孔に設けられたボールを押し圧するため、接続部材の接続空間内にスクリュードライバーが位置決めされる構造を特徴とするスクリュードライバー。
【請求項２】
前記接続部材の内部に設けられた位置決めブロックは、上方に上部凹溝を形成し、該上部凹溝の内部に磁気ブロックを設けることを特徴とする請求項１に記載のスクリュードライバー。
【請求項３】
前記接続部材の内部に設けられた位置決めブロックは、下方に下部凹溝を形成し、該下部凹溝の内部には弾性部材が設けられ、該弾性部材はバネから形成されることを特徴とする請求項１に記載のスクリュードライバー。
【請求項４】
前記接続部材の内部に設けられた位置決めブロックに形成された凹部は、上方に傾斜した斜面と下方に傾斜した斜面とが交差して形成され、該下方に形成した斜面が上方に傾斜した斜面よりも長く形成されることを特徴とする請求項１に記載のスクリュードライバー。
【請求項５】
前記接続部材は上方にカバーリングを設けてなり、該カバーリングと接続部材との間にはパッドが設けられることを特徴とする請求項１に記載のスクリュードライバー。
【考案の詳細な説明】
【技術分野】
【０００１】
この考案は、スクリュードライバーに関し、特に各種スクリュードライバーを接続することができるスクリュードライバーに関する。
【背景技術】
【０００２】
図１、図２に、従来のスクリュードライバーの接続部材を開示する。図面によれば、従来のスクリュードライバーは、接続部材１０を具えてなり（接続部材１０は底部がハンドルに接続する）、外周面を被覆するように環状を呈するスリーブ１５を設けてなる。また、該接続部材１０は内部に多角形の位置決め孔１０１を形成し、外周面に凹溝１１を形成し、凹溝１１はバネ１２を設けるために供する。該バネ１２は、スリーブ１５を押圧されてスリーブ１５が上方に移動する弾性を具える。
【０００３】
該接続部材１０は、外壁に複数の孔１３を形成する。該孔１３は円錐状を呈し、内部に鋼のボール１４が設けられ、該スリーブ１５のブロック１７がボール１４を押圧する。また、該スリーブ１５のブロック１７の上方には凹溝１６が形成されているため、スクリュードライバービット１の外壁２が上方に移動して、スリーブ１５が下方に移動すると、ボール１４が該凹溝１６に入る。
【０００４】
図１、２、３に開示するように、接続部材１０を使用しない場合、スリーブ１５がバネ１２に接触して、スリーブ１５のブロック１７がボール１４を押圧する。よって、ボール１４が孔１３に設けられ、ボール１４の一部が接続部材１０の内壁に突出した状態になる（図１参照）。
【０００５】
スクリュードライバービット１を接続部材１０の内部に位置決めする場合、接続部材１０を握り、スリーブ１５を下方向へ引くと、凹溝１６が孔１３と同じ位置になり、ボール１４がスリーブ１５の凹溝１６へ移動し、スクリュードライバービット１を接続部材１０内に挿入することができる。即ち、スリーブ１５を下方向へ引くだけで、スクリュードライバービット１を接続部材１０に滑動自在に設けることができる（図２参照）。
【０００６】
該スクリュードライバービット１を接続部材１０内に挿入すると、スクリュードライバービット１の位置決め溝３にボール１４が係合される。利用者がスリーブ１５から手を離すと、スリーブ１５がもとの位置に戻り、該スリーブ１５のブロック１７がボール１４を押圧するため、ボール１４はスクリュードライバーの位置決め溝３に設けられ、スクリュードライバービット１が係合、位置決めされ、移動することがない（図３参照）。
【０００７】
しかしながら、該接続部材１０のスリーブ１５のブロック１７の表面が平面であるため、凹溝１６とブロック１７との間に一定の隙間が形成される。よって、外周面上に環状に凹溝が形成されているか、もしくは三角形を呈する凹んだ開口が形成されたスクリュードライバービットに適用することはできるが、六角形で外周面上に凹溝がないスクリュードライバービットには利用することができない。
【０００８】
また、市場で販売されている接続部材は、スクリュードライバービットと接続する空間が浅くて、短いため、外周面上に環状の凹溝３が形成されたスクリュードライバービット１、もしくは三角形の凹んだ開口を具えたスクリュードライバービット、もしくは六角形の凹溝がないスクリュードライバービットに適しているのか見分けることが難しい。よって、一度接続してみないと、どの規格のスクリュードライバービットの接続に適しているのか判別することができない。
【考案の開示】
【考案が解決しようとする課題】
【０００９】
この考案は、どのような規格のスクリュードライバービットでも接続することができるスクリュードライバーを提供することを課題とする。
【課題を解決するための手段】
【００１０】
そこで本考案者は、従来の技術に鑑み鋭意研究を重ねた結果、内部の上半分に形成されたスクリュードライバービットを挿入するために供する多角形の接続空間と、該接続空間の下方に形成された円形の空間と、該外周面の上方及び下方の軸方向にボールを設けるために形成された少なくとも１以上の孔とを含んでなる接続部材と、  該接続部材の外周を被覆するように設けられ、底部に設けられた弾性部材と接続部材が互いに当接して弾性力を具えてなり、スクリュードライバービットの側面とともにボールを押し圧して、挟み込むように内壁の上方の端縁部に形成する当接部を具えてなり、該接続部材の下方に形成された孔に対向する位置に凹部及び凸部を設けてなるスリーブとを含んでなり、該接続部の円形の空間には、弾性部材と位置決めブロックが設けられ、該位置決めブロックの接続部材の下方の軸方向に形成された孔に対向する位置に三角形の凹部が形成され、該スリーブに凹部及び凸部が設けられ、スリーブの当接部が曲面を具えて形成されるため、スリーブが上方に移動すると、スリーブの凸部がボールを内側に押し出してボールが位置決めブロックの凹部に設けられるとともに、スリーブの当接部の曲面を利用して接続部材の孔に設けられたボールを押し圧するため、接続部材の接続空間内にスクリュードライバーが位置決めされる構造によって課題を解決できる点に着眼し、係る知見に基づき本考案を完成させた。
以下、この考案について具体的に説明する。
【００１１】
請求項１に記載するスクリュードライバーは、内部の上半分に形成されたスクリュードライバービットを挿入するために供する多角形の接続空間と、該接続空間の下方に形成された円形の空間と、該外周面の上方及び下方の軸方向にボールを設けるために形成された少なくとも１以上の孔とを含んでなる接続部材と、該接続部材の外周を被覆するように設けられ、底部に設けられた弾性部材と接続部材が互いに当接して弾性力を具えてなり、スクリュードライバービットの側面とともにボールを押し圧して、挟み込むように内壁の上方の端縁部に形成する当接部を具えてなり、該接続部材の下方に形成された孔に対向する位置に凹部及び凸部を設けてなるスリーブとを含んでなり、該接続部の円形の空間には、弾性部材と位置決めブロックが設けられ、該位置決めブロックの接続部材の下方の軸方向に形成された孔に対向する位置に三角形の凹部が形成され、該スリーブに凹部及び凸部が設けられ、スリーブの当接部が曲面を具えて形成されるため、スリーブが上方に移動すると、スリーブの凸部がボールを内側に押し出してボールが位置決めブロックの凹部に設けられるとともに、スリーブの当接部の曲面を利用して接続部材の孔に設けられたボールを押し圧するため、接続部材の接続空間内にスクリュードライバーが位置決めされる。
【００１２】
請求項２に記載のスクリュードライバーは、請求項１における接続部材の内部に設けられた位置決めブロックが、上方に上部凹溝を形成し、該上部凹溝の内部に磁気ブロックを設ける。
【００１３】
請求項３に記載のスクリュードライバーは、請求項１における接続部材の内部に設けられた位置決めブロックが、下方に下部凹溝を形成し、該下部凹溝の内部には弾性部材が設けられ、該弾性部材はバネから形成される。    
【００１４】
請求項４に記載のスクリュードライバーは、請求項１における接続部材の内部に設けられた位置決めブロックに形成された凹部が、上方に傾斜した斜面と下方に傾斜した斜面とが交差して形成され、該下方に形成した斜面が上方に傾斜した斜面よりも長く形成される。
【００１５】
請求項５に記載のスクリュードライバーは、請求項１における接続部材が、上方にカバーリングを設けてなり、該カバーリングと接続部材との間にはパッドが設けられる。
【考案の効果】
【００１６】
この考案のスクリュードライバーは、さまざまな規格のスクリュードライバービットを簡単に装着することができるという効果を有する。
【考案を実施するための最良の形態】
【００１７】
この考案は、どのような規格のスクリュードライバービットでも接続することができるスクリュードライバーであって、内部の上半分に形成されたスクリュードライバービットを挿入するために供する多角形の接続空間と、該接続空間の下方に形成された円形の空間と、該外周面の上方及び下方の軸方向にボールを設けるために形成された少なくとも１以上の孔とを含んでなる接続部材と、該接続部材の外周を被覆するように設けられ、底部に設けられた弾性部材と接続部材が互いに当接して弾性力を具えてなり、スクリュードライバービットの側面とともにボールを押し圧して、挟み込むように内壁の上方の端縁部に形成する当接部を具えてなり、該接続部材の下方に形成された孔に対向する位置に凹部及び凸部を設けてなるスリーブとを含んでなり、該接続部の円形の空間には、弾性部材と位置決めブロックが設けられ、該位置決めブロックの接続部材の下方の軸方向に形成された孔に対向する位置に三角形の凹部が形成され、該スリーブに凹部及び凸部が設けられ、スリーブの当接部が曲面を具えて形成されるため、スリーブが上方に移動すると、スリーブの凸部がボールを内側に押し出してボールが位置決めブロックの凹部に設けられるとともに、スリーブの当接部の曲面を利用して接続部材の孔に設けられたボールを押し圧するため、接続部材の接続空間内にスクリュードライバーが位置決めされ、スクリュードライバービットを簡単に装着できるという目的を達成した。
係る構成のスクリュードライバーについて、その構造と特徴を詳述するために具体的な実施例を挙げ、以下に説明する。
【実施例】
【００１８】
図４から図６に開示するように、この考案のスクリュードライバーは、接続部材２０と、スリーブ２１とを含んでなる。該接続部材２０は外周面の上方の軸方向の両側に形成された孔２２と、外周面の下方の軸方向の両側に形成された孔２８とを含んでなる。該上方の孔２２にはボール２２１が設けられ、下方の孔２８にもボール２８１を設けることができる。
【００１９】
該接続部材２０は内側の上半分に多角形を呈する接続空間２３（通常、六角形もしくは四角形を呈する）が形成され、スクリュードライバービット３０を挿入するために供する。また、該接続部材２０は内側の下半分、即ち多角形を呈する接続空間２３の下方に円形の空間２４が形成される。該空間２４は接続空間２３に比べて短く形成され、該空間２４の内部には弾性部材２５１及び位置決めブロック２５が設けられる。よって、弾性部材２５１の弾性により位置決めブロック２５が弾力を具える。
【００２０】
該位置決めブロック２５は円形を呈するように形成され、外周縁部に対向するように三角形を呈する凹部２５２を形成する。該凹部２５２は、上方に傾斜した斜面２５２１と、下方に傾斜した斜面２５２２とが交差して形成される。該上方に傾斜した斜面２５２１の長さは下方に傾斜した斜面２５２２よりも短く形成されるため、位置決めブロック２５の上方に上部凹溝２５３が形成される。該上部凹溝２５３は、内部に磁気ブロック２５４を嵌合し、該磁気ブロック２５４はスクリュードライバービット３０を吸着する。また、該位置決めブロック２５は下方に下部凹溝２５５が形成され、該下部凹溝２５５は、内部に弾性部材２５１が設けられる。該弾性部材２５１はバネから形成される。
【００２１】
また、該接続部材２０は下方に凸出部材２６を設けてなり、最上部にカバーリング２７が設けられる。該カバーリング２７と接続部材２０との間には、パッド２７１が設けられるとともに、接続部材２０の底部にはハンドルが接続される。
【００２２】
該スリーブ２１は、接続部材２０の外周を被覆するように設けらる。該スリーブ２１は底部に内壁に沿って凹んだ凹部２１１が形成され、バネから形成された弾性部材２１２が設けられる。該弾性部材２１２と接続部材２０の凸出部材２６は互いに当接するため、スリーブ２１が弾性を具える。また、該スリーブ２１は内壁にボール２２１を押圧するための当接部２１３が形成される。該スリーブ２１の当接部２１３は、曲面を具えて形成されるため、スリーブ２１の口径が上方から下方に向けて次第に小さくなる。該スリーブ２１は、接続部材２０の下方の軸方向の両側に形成された孔２８が位置する部分に、凹部２１４と凸部２１５とを設けてなる。
【００２３】
上述のように、この考案のスクリュードライバーは使用する場合、図７に開示するように、スリーブ２１を下方向へ引くと、スリーブ２１の凹部２１４が接続部材２０の下方に形成された孔２８の位置に位置する。該位置決めブロック２５が弾性部材２５１の弾性を受けて上方に移動し、位置決めブロック２５の凹部２５２の斜面２５２２が弾性を具えてボール２８１を押し圧し、ボール２８１をスリーブ２１の凹部２１４に向けて外方向に移動させて、接続部材２０の孔２８のボール２８１を係合させるため、一時的にスリーブ２１が位置決めされ、動かなくなる。また、該スリーブ２１の当接部２１３が移動して接続部材２０の上方に形成された孔２２内のボール２２１を押し圧しなくなる。即ち、スリーブ２１の当接部２１３が移動して、ボール２２１がスリーブ２１の当接部２１３の口径が大きい部分に設けられるため、スクリュードライバービット３０が押し圧されることがなく、位置決めされることもない。
【００２４】
図５に開示するように、該スクリュードライバービット３０を接続部材２０の多角形の接続空間２３に完全に挿入すると（スクリュードライバービット３０の底部が接続空間２３と円形の空間２４が接続する位置に達した場合）、スクリュードライバービット３０の底部が位置決めブロック２５を下圧するため、位置決めブロック２５が下方向に移動する。よって、該位置決めブロック２５の凹部２５２の下方に傾斜した斜面２５２２がボール２８１に当接しなくなるとともに、スリーブ２１が弾性部材２１２の弾性により上方へ移動してスリーブ２１の凸部２１５がボール２８１を内側に押し出すため、ボール２８１が三角形の凹部２５２内に設けられて、スリーブ２１が位置決めされ、動かなくなる。
【００２５】
また、該スリーブ２１の移動により、スリーブ２１の当接部２１３が接続部材２０の孔２２内に設けられたボール２２１を押し圧する。即ち、ボール２２１がスリーブ２１の当接部２１３における口径が比較的小さい部分に位置するため、押し圧される。よって、ボール２２１がスクリュードライバービット３０の凹部３１とスリーブ２１の当接部２１３に挟まれて押し圧されるため、スクリュードライバービット３０が接続部材２０の接続空間２３内に位置決めして設けられる。スクリュードライバービット３０を取り出す場合には、図７に開示するように、スリーブ２１を下方向に引けばよい。さらに、この考案は、位置決めブロック２５の上方に設けられた磁気ブロック２５４がスクリュードライバービット３０を吸着するため、スリーブ２１を下方向に引いてスクリュードライバービット３０を取り出す場合にスクリュードライバービット３０を落とすことがない。
【００２６】
上述のように、該接続部材２０の下方に設けられたボール２８１はスリーブ２１に設けられた凹部２１４と凸部２１５により、外側に移動する空間（スリーブ２１が下方に移動するとボール２８１が外側に移動して凹部２１４に設けられる）及び内側に押し出す圧力（スリーブ２１が上方へ移動すると、凸部２１５が弾性部材２１２の弾性力で上方に移動してボール２８１を押し出す）を具える。また、位置決めブロック２５の凹部２５２は上方の斜面２５２１と下方の斜面２５２２が交差して形成され、且つ下方の斜面２５２２の長さが上方の斜面２５２１よりも長く形成されている。よって、位置決めブロック２５が上方に移動する場合には、下方の斜面２５２２がボール２８１を外側に押し出し、位置決めブロック２５が下方に移動する場合には、ボール２８１が内側に移動してボール２８１が凹部２５２に設けられる。また、スリーブ２１の当接部２１３を利用して接続部材２０の上方の孔２２内に設けられたボール２２１を押し圧もしくは緩めるこよにより、スクリュードライバービット３０を接続部材２０の接続空間２３の内部に位置決めすることができる。
【００２７】
この考案は図５、図７、図８、図９に開示するように、六角形で、外周面上に半円形の凹部３１を具えてなり、接続部材２０の上方の孔２２に設けられたボール２２１が該凹部３１に係合して位置決めされるスクリュードライバービット３０に適用することができる。
【００２８】
また、上述のスクリュードライバービット以外に、図１０、図１１に開示するように、六角形で、面と面とが交差する部分に三角形の凹部４１を具えてなり、接続部材２０の上方の孔２２に設けられたボール２２１を該凹部４１に係合して位置決めするスクリュードライバービット４０にも応用することができる。
【００２９】
または、図１２、１３に開示するように、六角形で、外周面上に三角もしくは半円形の凹部が設けられていないスクリュードライバービット５０にも応用することができて、接続部材２０の上方の孔２２に設けられたボール２２１をスクリュードライバー５０の六角形の面で直接押し圧して位置決めしてもよい。
【００３０】
さらに、この考案はスリーブ２１の当接部２１３を利用して、さまざまな規格のスクリュードライバービット3０、4０、5０を位置決めすることができ、スリーブ２１を動かすことでスクリュードライバービット3０、4０、5０を接続部材２０に位置決めするか、もしくは接続部材２０から取り外すことができる。
【００３１】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００３２】
【図１】従来のスクリュードライバーの接続部材を示した断面図である。
【図２】図１に開示するスクリュードライバーの接続部材にスクリュードライバービットを挿入する状態を示した断面図である。
【図３】図１に開示するスクリュードライバーの接続部材にスクリュードライバービットを位置決めした状態を示した断面図である。
【図４】この考案のスクリュードライバーの接続部材を示した分解図である。
【図５】この考案のスクリュードライバーの接続部材にスクリュードライバービットを位置決めした状態を示した断面図である。
【図６】図５に開示する接続部材をＡＡ線で切断した状態を示した断面図である。
【図７】この考案のスクリュードライバーの接続部材にスクリュードライバービットを挿入した状態を示した断面図である。
【図８】この考案のスクリュードライバーに適用するスクリュードライバービットを示した断面図である。
【図９】図８に開示するスクリュードライバーに適用するスクリュードライバービットをＢＢ線で切断した状態を示した断面図である。
【図１０】この考案のスクリュードライバーに適用する他のスクリュードライバービットを示した断面図である。
【図１１】図１０に開示するスクリュードライバーに適用する他のスクリュードライバービットをＣＣ線で切断した状態を示した断面図である。
【図１２】この考案のスクリュードライバーに適用するその他のスクリュードライバービットを示した断面図である。
【図１３】図１３に開示するスクリュードライバーに適用するその他のスクリュードライバービットをＤＤ線で切断した状態を示した断面図である。
【符号の説明】
【００３３】
２０      接続部材
２１      スリーブ
２１１    凹部
２１２    弾性部材
２１３    当接部
２１４    凹部
２１５    凸部
２２      孔
２２１    ボール
２３      接続空間
２４      空間
２５      位置決めブロック
２５１    弾性部材
２５２    凹部
２５２１  斜面
２５２２  斜面
２５３    上部凹溝
２５４    磁気ブロック
２５５    下部凹溝
２６      凸出部材
２７      カバーリング
２７１    パッド
２８      孔
２８１    ボール
３０      スクリュードライバービット
３１      凹部
４０      スクリュードライバービット
４１      凹部
５０      スクリュードライバービット
【図１】
0003122512.tif 000003
【図２】
0003122512.tif 000004
【図３】
0003122512.tif 000005
【図４】
0003122512.tif 000006
【図５】
0003122512.tif 000007
【図６】
0003122512.tif 000008
【図７】
0003122512.tif 000009
【図８】
0003122512.tif 000010
【図９】
0003122512.tif 000011
【図１０】
0003122512.tif 000012
【図１１】
0003122512.tif 000013
【図１２】
0003122512.tif 000014
【図１３】
0003122512.tif 000015